(57)【特許請求の範囲】
【請求項１】
施設における複数の監視ポイントの状態情報を収集し、状態情報蓄積装置に蓄積させる監視ポイントデータ収集部と、
前記監視ポイントの状態変化に関する状態変化情報を受信すると、前記施設の監視に使用される複数のアプリケーション毎に設定された複数のグループ毎に当該グループと関連付けられた監視ポイントを示したグループ情報、および、前記監視ポイント毎に当該監視ポイントと関連付けられた前記グループを示した関連アプリケーション情報に基づき、前記状態変化が生じた監視ポイントに関連付けられた前記アプリケーション毎のグループを前記関連アプリケーション情報から特定した後、当該特定されたグループに関連付けられた監視ポイントを前記グループ情報から特定することで、前記状態変化が生じた監視ポイントに関連する他の監視ポイントを特定する関連監視ポイント特定部と、
前記状態変化が生じた監視ポイントおよび前記関連監視ポイント特定部が特定した他の監視ポイントの状態情報を、前記状態情報蓄積装置から抽出する関連情報抽出部と、
とを備え、
前記監視ポイントデータ収集部は、当該状態変化が生じた旨の通知を受信すると、前記状態情報を前記状態情報蓄積装置に蓄積するタイミングを常時に変更し、各前記監視ポイントの状態情報を常時、収集時刻とあわせて時系列データとして前記状態情報蓄積装置に蓄積し、
前記関連アプリケーション情報は、前記グループ情報の変更が行われた場合に、変更された当該グループ情報に基づき、自動的に作成される
施設管理装置。
【請求項２】
前記アプリケーションの起動に応じて、前記関連情報抽出部が抽出した前記状態変化が生じた監視ポイントおよび前記他の監視ポイントの状態情報と、当該状態情報と関連付けられた前記状態変化情報とに基づき、前記状態変化が生じた監視ポイントおよび前記他の監視ポイントの前記状態変化発生時の状態を表示させるための再現表示用データを作成する状態変化時点状況再現部をさらに備えた
ことを特徴とする請求項１記載の施設管理装置。
【請求項３】
監視ポイントデータ収集部が、施設における複数の監視ポイントの状態情報を収集し、状態情報蓄積装置に蓄積させるステップと、
関連監視ポイント特定部が、前記監視ポイントの状態変化に関する状態変化情報を受信すると、前記施設の監視に使用される複数のアプリケーション毎に設定された複数のグループ毎に当該グループと関連付けられた監視ポイントを示したグループ情報、および、前記監視ポイント毎に当該監視ポイントと関連付けられた前記グループを示した関連アプリケーション情報に基づき、前記状態変化が生じた監視ポイントに関連付けられた前記アプリケーション毎のグループを前記関連アプリケーション情報から特定した後、当該特定されたグループに関連付けられた監視ポイントを前記グループ情報から特定することで、前記状態変化が生じた監視ポイントに関連する他の監視ポイントを特定するステップと、
関連情報抽出部が、前記状態変化が生じた監視ポイントおよび前記関連監視ポイント特定部が特定した他の監視ポイントの状態情報を、前記状態情報蓄積装置から抽出するステップと、
前記監視ポイントデータ収集部が、当該状態変化が生じた旨の通知を受信すると、前記状態情報を前記状態情報蓄積装置に蓄積するタイミングを常時に変更し、各前記監視ポイントの状態情報を常時、収集時刻とあわせて時系列データとして前記状態情報蓄積装置に蓄積するステップと、
前記グループ情報の変更が行われた場合に、変更された当該グループ情報に基づき、前記関連アプリケーション情報を自動的に作成するステップと
を備えた施設管理方法。
【発明の詳細な説明】
【技術分野】
【０００１】
この発明は、施設内の監視ポイントの監視および管理を行う施設管理装置および施設管理方法に関するものである。
【背景技術】
【０００２】
従来、建物設備を監視および管理する施設管理装置は、建物施設内の各監視ポイントからネットワークを介して、例えば、１分、１時間等、一定周期にデータ収集を行い、収集したデータを記録するとともに、各監視ポイントの状態変化を監視している。例えば、特許文献１では、施設管理装置において、各監視ポイントから状態を示すデータを収集して記録しておくとともに、各監視ポイントに生じた状態変化に応じた関連情報を収集するために、他の監視ポイントとの対応関係を予め設定データとして登録しておくようにし、施設内のある監視ポイントにおいて状態変化が生じた場合は、当該設定データに基づき、各監視ポイントから収集しておいた記録データから状態変化のあった監視ポイントに対応する関連監視ポイントの情報を抽出し、状態変化情報と関連付けて蓄積するようにして、当該蓄積したデータから状態変化発生の原因追究を行う技術が開示されている。
【先行技術文献】
【特許文献】
【０００３】
【特許文献１】特開２０１０−２３７９２０号公報
【発明の概要】
【発明が解決しようとする課題】
【０００４】
しかしながら、特許文献１に開示されているような技術では、例えば、警報が発生した場合等、各監視ポイントの状態が変化した場合に情報抽出すべき他の監視ポイントとの対応関係について予め設定しておく必要がある。このため、各監視ポイントの状態変化とそれぞれ関係する監視ポイントを、一つ一つ精査する作業負荷が生じてしまうという課題があった。また、対応関係の情報に設定ミス等があった場合は、状態変化が生じても関連する監視ポイントの情報を抽出しておくことができないため、後に、膨大な蓄積データの中から必要なデータを抽出して解析しなければならず、警報発生の原因追究に手間と時間がかかってしまうという課題があった。
【０００５】
この発明は、上記のような課題を解決するためになされたもので、状態変化に応じた監視ポイント同士の対応関係を精査して設定する作業を要することなく、監視ポイントの状態変化が生じた際には、関連する監視ポイントのデータも含めた、状態変化の原因解析のためのデータを、より確実に、原因追究がしやすい形で抽出することができる施設管理装置および施設管理方法を提供することを目的とする。
【課題を解決するための手段】
【０００６】
この発明に係る施設管理装置は、施設における複数の監視ポイントの状態情報を収集し、状態情報蓄積装置に蓄積させる監視ポイントデータ収集部と、監視ポイントの状態変化に関する状態変化情報を受信すると、施設の監視に使用される複数のアプリケーション毎に設定された複数のグループ毎に当該グループと関連付けられた監視ポイントを示したグループ情報、および、監視ポイント毎に当該監視ポイントと関連付けられたグループを示した関連アプリケーション情報に基づき、状態変化が生じた監視ポイントに関連付けられたアプリケーション毎のグループを関連アプリケーション情報から特定した後、当該特定されたグループに関連付けられた監視ポイントをグループ情報から特定することで、状態変化が生じた監視ポイントに関連する他の監視ポイントを特定する関連監視ポイント特定部と、状態変化が生じた監視ポイントおよび関連監視ポイント特定部が特定した他の監視ポイントの状態情報を、状態情報蓄積装置から抽出する関連情報抽出部とを備え、監視ポイントデータ収集部は、当該状態変化が生じた旨の通知を受信すると、状態情報を前記状態情報蓄積装置に蓄積するタイミングを常時に変更し、各前記監視ポイントの状態情報を常時、収集時刻とあわせて時系列データとして状態情報蓄積装置に蓄積し、関連アプリケーション情報は、グループ情報の変更が行われた場合に、変更された当該グループ情報に基づき、自動的に作成されるものである。
【発明の効果】
【０００７】
この発明によれば、状態変化に応じた監視ポイント同士の対応関係を精査して設定する作業を要することなく、監視ポイントの状態変化が生じた際には、関連する監視ポイントのデータも含めた、状態変化の原因解析のためのデータを、より確実に、原因追究がしやすい形で抽出することができる。
【図面の簡単な説明】
【０００８】
【図１】この発明の実施の形態１に係る施設管理装置の構成を示すブロック図である。
【図２】この発明の実施の形態１に係る施設管理装置の動作を説明するフローチャートである。
【図３】この発明の実施の形態１において、監視ポイントグループ化情報記憶部に記憶されている監視ポイントグループ化情報の一例を説明する図である。
【図４】この発明の実施の形態１において、所属アプリケーション分類情報記憶部に記憶されている所属アプリケーション分類情報の一例を説明する図である。
【図５】実施の形態１において、状態変化情報の一例を説明する図である。
【図６】この発明の実施の形態１において、関連情報蓄積装置に蓄積された情報の一例を示す図である。
【発明を実施するための形態】
【０００９】
以下、この発明の実施の形態について図面を参照しながら詳細に説明する。
実施の形態１．
図１は、この発明の実施の形態１に係る施設管理装置１の構成を示すブロック図である。
施設管理装置１は、図１に示すように、監視ポイントデータ収集部１１、グループ情報記憶装置１２、関連アプリケーション情報記憶装置１３、状態変化情報取得部１４、関連監視ポイント特定部１５、関連情報抽出部１６、状態変化時点状況再現部１７、状態情報蓄積装置１８、関連情報蓄積装置１９、表示部２０を備えるとともに、通信回線を介して複数（例えば＃１〜＃Ｎ）のコントローラ１００と接続されている。
【００１０】
コントローラ１００は施設内の複数（例えば＃１〜＃ｎ）の監視ポイント１０１を有し、監視ポイント１０１の状態が変化すると状態変化情報を生成して施設管理装置１へ通知し、さらに、常時秒周期で監視ポイント１０１の状態を示す状態情報を施設管理装置１へ通知する。なお、監視ポイントとは、屋上タンクの水位情報や運転停止情報、アナログ変換等の動作時の温度情報など、予め監視対象として定義されているポイントである。また、状態が変化するとは、例えば、各監視ポイントにおいて設定された閾値を超えて警報が出力された等、異常状態が起こった場合等をいう。
【００１１】
監視ポイントデータ収集部１１は、各監視ポイント１０１の状態情報を、常時秒周期でコントローラ１００を介して収集し、予め決められた一定周期になると、収集時刻とあわせて時系列データとして状態情報蓄積装置１８に蓄積する。具体的には、監視ポイントデータ収集部１１は、コントローラ１００を介して常時収集した各監視ポイント１０１の状態情報を、内部に保有するＲＡＭ等のメモリに、収集時刻とあわせて一時保存し、例えば１分毎等、予め決められた一定周期になると、メモリ上に一時保存された、当該一定周期になった時点の各監視ポイント１０１の状態情報を、収集時刻とあわせて時系列データとして状態情報蓄積装置１８に蓄積する。また、監視ポイントデータ収集部１１は、状態変化情報取得部１４から、状態変化が生じた旨の通知を受信すると、状態情報を状態情報蓄積装置１８に蓄積するタイミングを常時に変更し、コントローラ１００を介して収集した各監視ポイント１０１の状態情報を常時、収集時刻とあわせて時系列データとして状態情報蓄積装置１８に蓄積する。
すなわち、監視ポイントデータ収集部１１は、正常時は、コントローラ１００を介して常時収集している各監視ポイント１０１の状態情報を間引いて状態情報蓄積装置１８に蓄積し、各監視ポイント１０１に状態変化があった場合は、即時、その時点の状態情報を状態情報蓄積装置１８に蓄積するようにする。
このように、例えば、状態情報蓄積装置１８がハードディスクである場合には、書き込み時間がかかり、ＣＰＵ負荷が高くなってしまうこと、また、正常時は秒周期の細かい情報は必要ないことを考慮し、監視ポイントデータ収集部１１では、正常時に常時秒周期で収集した状態情報はメモリに一旦保存している。ただし、メモリは容量が少なく、秒周期で状態情報を保存していると、短い期間の情報しか保存できない。このため、正常時には、部分的な情報のみを状態情報蓄積装置１８に出力して、メモリ上の古い情報は適宜のタイミングで削除可能として、また、異常時には、警報をトリガとして、容量が大きい状態情報蓄積装置１８に、メモリに保存した状態情報を常時出力して保存できるようにする。
異常時には状態情報を常時出力して状態情報蓄積装置１８に保存するようにすることで、より細かいデータに基づいた状態変化発生の原因を調査することができる。
【００１２】
グループ情報記憶装置１２は、施設の監視および管理に使用される複数のアプリケーション毎に設定された複数のグループ毎に、当該グループと関連付けられた監視ポイント１０１を示したグループ情報を記憶する。各アプリケーションとは、ここでは、施設管理装置１における施設監視・管理のための各種機能のことをいい、例えば、監視ポイント１０１をグループ分けしたグループリスト、サマリグラフ、トレンドグラフ、フロアの平面図を表わすグラフィック画面、設備の運転スケジュールを設定する機能、日報月報などの帳票機能等である。各アプリケーションには複数のグループが設定可能であり、当該各グループには、監視ポイントが登録される。当該複数のアプリケーション、あるいは、各アプリケーションのグループには、例えば、アプリケーションの特性等も考慮しながら、管理者が監視・管理がしやすいように、自由に監視ポイントをグループ化して登録することができる。重複して複数のアプリケーションやグループに、同一の監視ポイント１０１を登録しておくことも可能である。
なお、各アプリケーションのグループへの監視ポイント１０１の登録は、システムを構築した時点で、管理者等により、図示しない入力装置を用いて実施され、グループ情報としてグループ情報記憶装置１２に記憶されている。
【００１３】
関連アプリケーション情報記憶装置１３は、監視ポイント１０１毎に、当該監視ポイント１０１と関連付けられた各アプリケーションのグループを示した関連アプリケーション情報を記憶する。
なお、関連アプリケーション情報については、システムを構築した時点で、上記グループ情報記憶装置１２に記憶されているグループ情報から自動的に作成されて関連アプリケーション情報記憶装置１３に記憶されている。また、システムを構築した後、管理者等により、各アプリケーションのグループの設定の変更を行える。その場合も、変更されたグループ情報に基づき、自動的に関連アプリケーション情報を作成することができるようにする。
【００１４】
状態変化情報取得部１４は、監視ポイント１０１において状態変化が生じたことを示す状態変化情報がコントローラ１００，２００，３００から通知されると、この状態変化情報を受信する。なお、状態変化情報取得部１４は、受信した状態変化情報を関連監視ポイント特定部１５に送信するとともに、関連情報蓄積装置１９に蓄積させる。また、状態変化情報取得部１４は、状態変化情報を受信すると、監視ポイントデータ収集部１１に対して、監視ポイント１０１において状態変化が生じた旨の通知を送信する。
【００１５】
関連監視ポイント特定部１５は、グループ情報記憶装置１２に記憶されているグループ情報と、関連アプリケーション情報記憶装置１３に記憶されている関連アプリケーション情報とから、状態変化情報取得部１４が受信した状態変化情報の通知元である監視ポイント１０１、すなわち、状態変化が生じた監視ポイント１０１の状態変化に対応して状態情報を収集すべき監視ポイント１０１（以下、「関連監視ポイント」という）を特定する。
【００１６】
関連情報抽出部１６は、状態変化情報取得部１４が受信した状態変化情報の通知元である監視ポイント１０１、すなわち、状態変化が生じた監視ポイント１０１、および、関連監視ポイント特定部１５が特定した関連監視ポイントについて、状態情報蓄積装置１８に蓄積された時系列の状態情報から、状態変化発生時刻前後の状態情報を抽出し、状態変化情報と関連付けて、関連情報として関連情報蓄積装置１９に蓄積させる。
【００１７】
状態変化時点状況再現部１７は、管理者等により関連するアプリケーションが起動されると、起動されたアプリケーションに応じて、関連情報蓄積装置１９を参照し、状態変化情報および当該状態変化情報に関連付けられた関連情報に基づき、状態変化が生じた監視ポイントおよび関連監視ポイントの、状態変化発生時の状態を表示させるための再現表示用データを作成する。状態変化時点状況再現部１７が作成した再現表示用データは、表示部２０で表示される。
【００１８】
状態情報蓄積装置１８は、監視ポイントデータ収集部１１が収集した監視ポイント１０１の状態情報を蓄積する。
関連情報蓄積装置１９は、関連情報抽出部１６が作成した関連情報を蓄積する。
表示部２０は、状態変化時点状況再現部１７が作成した再現表示用データを表示する。
【００１９】
なお、ここでは、図１に示すように、グループ情報記憶装置１２、関連アプリケーション情報記憶装置１３、状態情報蓄積装置１８、関連情報蓄積装置１９は、施設管理装置１が備えるものとしたが、これに限らず、グループ情報記憶装置１２、関連アプリケーション情報記憶装置１３、状態情報蓄積装置１８、関連情報蓄積装置１９は、施設管理装置１の外部に備えるようにしてもよい。
また、ここでは、図１に示すように、施設管理装置１は、表示部２０を備えるようにしたが、これに限らず、表示部２０は施設管理装置１の外部に備えるようにしてもよい。
【００２０】
次に、施設管理装置１の動作を説明する。
図２は、この発明の実施の形態１に係る施設管理装置１の動作を説明するフローチャートである。
なお、この施設管理装置１には、図３，４に示すような、グループ情報と、関連アプリケーション情報とが、予め作成され、記憶されているものとする。
また、ここでは、正常時に、各監視ポイント１０１の状態情報を状態情報蓄積装置１８に蓄積する周期は、予め１分に設定されているものとする。
【００２１】
監視ポイントデータ収集部１１は、コントローラ１００を介して常時収集した各監視ポイント１０１の状態情報を、内部に保有するＲＡＭ等のメモリに収集時刻とあわせて一時保存する（ステップＳＴ２０１）。
監視ポイントデータ収集部１１は、予め決められた周期になったかどうかを判断する（ステップＳＴ２０２）。
【００２２】
ステップＳＴ２０２において、予め決められた周期になっていない場合（ステップＳＴ２０２の“ＮＯ”の場合）、ステップＳＴ２０３の処理をスキップし、ステップＳＴ２０４へ進む。
【００２３】
ステップＳＴ２０２において、予め決められた周期になった場合（ステップＳＴ２０２の“ＹＥＳ”の場合）、監視ポイントデータ収集部１１は、内部に保有するメモリに一時保存した各監視ポイント１０１の状態情報を、収集時刻とあわせて時系列データとして状態情報蓄積装置１８に蓄積する（ステップＳＴ２０３）。すなわち、ここでは、１分毎に、監視ポイントデータ収集部１１により、コントローラ１００を介して常時収集した各監視ポイント１０１の状態情報が、状態情報蓄積装置１８に蓄積されている。
【００２４】
状態変化情報取得部１４は、監視ポイント１０１の状態が変化したことを示す状態変化情報をコントローラ１００から受信したかどうかを判断する（ステップＳＴ２０４）。
ステップＳＴ２０４において、状態変化情報を受信していない場合（ステップＳＴ２０４の“ＮＯ”の場合）、ステップＳＴ２０１へ戻る。
【００２５】
ステップＳＴ２０４において、状態変化情報を受信した場合（ステップＳＴ２０４の“ＹＥＳ”の場合）、状態変化情報取得部１４は、受信した状態変化情報を関連情報蓄積装置１９に記憶させる（ステップＳＴ２０５）。
ここでは、状態変化情報取得部１４は、監視ポイント＃１（１０１）から、図５に示すように、２０１４／０８／０４  １１：３０：０３に、環境温度が、アナログ変換が可能な範囲の上限温度を超えたため警報を発生させた旨の状態変化情報を受信したとする。
なお、図５は一例に過ぎず、各監視ポイント１０１からコントローラ１００を介して送信される状態変化情報には、監視ポイント１０１が特定できる情報と、状態変化の内容を示す情報が含まれていればよい。
【００２６】
状態変化情報取得部１４は、監視ポイントデータ収集部１１に対して、監視ポイント１０１において状態変化が生じた旨の通知を送信する（ステップＳＴ２０６）。
監視ポイントデータ収集部１１は、当該状態変化が生じた旨の通知を受信すると、状態情報を状態情報蓄積装置１８に蓄積するタイミングを常時に変更し、コントローラ１００を介して収集した各監視ポイント１０１の状態情報を常時、収集時刻とあわせて時系列データとして状態情報蓄積装置１８に蓄積するようにする。なお、このとき、監視ポイントデータ収集部１１は、内部に保有するメモリに一時保存した各監視ポイント１０１の状態情報のうち、例えば１０分等、予め設定された期間分だけ前に保存した各監視ポイント１０１の状態情報を、収集時刻とあわせて時系列データとして状態情報蓄積装置１８に蓄積させるようにする。すなわち、監視ポイントデータ収集部１１は、状態変化が生じる前の設定された期間に各監視ポイント１０１から常時収集した状態情報について、状態情報蓄積装置１８に蓄積されているようにする。なお、内部に保有するメモリに一時保存した各監視ポイント１０１を状態情報蓄積装置１８に蓄積させたとき、すでに状態情報蓄積装置１８に同一の状態情報が蓄積されていれば、監視ポイントデータ収集部１１は、同一の状態情報については新たに蓄積させないようにしてもよいし、状態情報を上書きするようにしてもよい。
また、この場合、メモリ上の古い情報を適宜削除するタイミングは、例えば２０分等、１０分以上とし、メモリ上には、１０分以上の状態情報が蓄積されているようにする。
なお、図２のフローチャートには示さないが、監視ポイントデータ収集部１１において、常時と変更した状態情報の蓄積タイミングを再び予め設定された周期、すなわち、ここでは１分に戻すタイミングについては、例えば、状態変化情報取得部１４が、状態変化情報を受信しなくなった際に監視ポイントデータ収集部１１に対して正常に戻った旨の通知を送信し、当該通知を受けて予め設定された周期に戻すようにしてもよいし、蓄積タイミングを常時に変更してから１０分後など、予め正常時の蓄積タイミングに戻すタイミングを設定しておくようにしてもよい。
関連監視ポイント特定部１５は、グループ情報記憶装置１２に記憶されているグループ情報と、関連アプリケーション情報記憶装置１３に記憶されている関連アプリケーション情報とから、関連監視ポイントを特定する（ステップＳＴ２０７）。
【００２７】
ここで、ステップＳＴ２０７における関連監視ポイント特定部１５の具体的な動作について、例を用いて説明する。
なお、ここでは、上述のとおり、施設管理装置１には、図３に示すようなグループ情報がグループ情報記憶装置１２に記憶されており、図４に示すような関連アプリケーション情報が関連アプリケーション情報記憶装置１３に記憶されているものとする。また、ステップＳＴ２０４において、状態変化情報取得部１４は、図５に示すような状態変化情報を受信したものとする。
【００２８】
関連監視ポイント特定部１５は、状態変化情報取得部１４から状態変化情報を受信し、状態変化が生じた監視ポイント１０１が、監視ポイント＃１（１０１）であることを認識すると、関連アプリケーション情報記憶装置１３に記憶された関連アプリケーション情報から、当該監視ポイント＃１（１０１）は各アプリケーションのどのグループに属しているかを検出する。ここでは、図４より、監視ポイントＩＤ＃１（１０１）は、グループリストのグループＮＯ．１、サマリグラフのサマリＮＯ．１、トレンドグラフのトレンドＮＯ．２、制御プログラムのプログラムＮＯ．２のグループに属していることが検出される。
【００２９】
次に、関連監視ポイント特定部１５は、検出した各アプリケーションの同一のグループにグループ分けされている他の監視ポイントを、グループ情報から検出する。ここでは、図３より、グループリストのグループＮＯ．１には、監視ポイント＃１（１０１）の他に監視ポイント＃２（１０１），＃４（１０１）が、サマリグラフのサマリＮＯ．１には、監視ポイント＃１（１０１）の他に監視ポイント＃４（１０１），＃５（１０１）が、トレンドグラフのトレンドＮＯ．２には、監視ポイント＃１（１０１）の他に監視ポイント＃３（１０１），＃５（１０１）が、制御プログラムのプログラムＮＯ．２には、監視ポイント＃１（１０１）の他に監視ポイント＃３（１０１）がグループ分けされている。そこで、関連監視ポイント特定部１５は、該当の監視ポイント＃２（１０１），＃３（１０１），＃４（１０１），＃５（１０１）を、監視ポイント＃１（１０１）の関連監視ポイントに特定する。
【００３０】
なお、管理者等により、各アプリケーションのグループの設定の変更が行われた場合は、関連監視ポイント特定部１５は、変更されたグループ情報、および、当該変更されたグループ情報から自動的に作成された関連アプリケーション情報から、上述したステップＳＴ２０７の処理を行い、関連監視ポイントを特定する。
【００３１】
図２のフローチャートに戻る。
関連情報抽出部１６は、ステップＳＴ２０４で状態変化情報取得部１４が受信した状態変化情報の通知元である監視ポイント１０１、すなわち、状態変化が生じた監視ポイント１０１、および、ステップＳＴ２０７で関連監視ポイント特定部１５が特定した関連監視ポイントについて、状態情報蓄積装置１８に蓄積された時系列の状態情報から、状態変化発生時刻前後の状態情報を抽出し、今回状態変化があった監視ポイント１０１の状態変化情報と関連付けて、関連情報として関連情報蓄積装置１９に蓄積させる（ステップＳＴ２０８）。状態変化発生時刻前後とは、状態変化発生の前後一定期間をいう。一定期間は適宜設定するようにすればよい。
【００３２】
具体的には、例えば、状態変化発生時刻前後とは、状態発生の前後３０分と設定されていたとすると、ここでは、監視ポイント＃１（１０１）の状態変化情報を受信し（図５参照）、監視ポイント＃１（１０１）の関連監視ポイントとして監視ポイント＃２（１０１），＃３（１０１），＃４（１０１），＃５（１０１）が特定されているので、関連情報抽出部１６は、監視ポイント＃１（１０１）の状態変化情報を受信した２０１４／０８／０４  １１：３０の前後３０分の、監視ポイント＃１（１０１），＃２（１０１），＃３（１０１），＃４（１０１），＃５（１０１）の状態情報を状態情報蓄積装置１８から抽出し、ステップＳＴ２０５で状態変化情報取得部１４が関連情報蓄積装置１９に蓄積させた状態変化情報と関連付けられた関連情報として、関連情報蓄積装置１９に蓄積させる。
【００３３】
なお、状態変化発生後３０分の状態情報は、状態変化が生じた時点では状態情報蓄積装置１８には蓄積されていない。従って、関連情報抽出部１６は、状態発生後３０分の該当の監視ポイント１０１の状態情報は、事後に収集して関連情報蓄積装置１９に蓄積させるようにする。状態情報を事後に収集する方法としては、関連情報抽出部１６は、例えば、状態情報蓄積装置１８に状態情報が蓄積され次第、状態情報蓄積装置１８から該当の状態情報を抽出するようにしてもよいし、直接コントローラ１００を介して該当の監視ポイント１０１から状態情報を収集するようにしてもよい。
【００３４】
図６は、この発明の実施の形態１において、関連情報蓄積装置１９に蓄積された情報の一例を示す図である。
図６に示すように、関連情報抽出部１６は、状態情報蓄積装置１８から抽出した各監視ポイント１０１の状態情報を関連情報として状態変化情報と関連付けて関連情報蓄積装置１９に蓄積させる。
【００３５】
なお、図６は一例に過ぎず、関連情報抽出部１６は、状態変化情報と関連付けられた関連情報として、状態変化が生じた監視ポイント１０１および関連監視ポイントの、状態変化発生時刻前後の状態情報を、関連情報蓄積装置１９に蓄積させるものであればよい。
また、ここでは、関連情報抽出部１６は、状態変化が生じた監視ポイント１０１および関連監視ポイントについて、状態情報蓄積装置１８に蓄積された時系列の状態情報から、状態変化発生時刻前後の状態情報を抽出するようにしたが、これに限らず、関連情報抽出部１６は、状態変化が生じた監視ポイント１０１および関連監視ポイントについて、例えば、状態変化発生時から所定時間前までのみの状態情報等、設定された期間の状態情報を抽出するようにしてもよいし、状態変化発生時刻の状態情報を抽出するようにしてもよい。
【００３６】
図２のフローチャートに戻る。
状態変化時点状況再現部１７は、管理者等により関連するアプリケーションが起動されると、起動されたアプリケーションに応じて、関連情報蓄積装置１９を参照し、状態変化情報および当該状態変化情報に関連付けられた関連情報に基づき、該当の監視ポイント１０１および関連監視ポイントの、状態変化発生時の状態を表示させるための再現表示用データを作成する（ステップＳＴ２０９）。
【００３７】
ステップＳＴ２０９において状態変化時点状況再現部１７が作成した再現表示用データは、表示部２０で表示され、ユーザは、表示部２０で、状態変化が発生した当時の、関連する監視ポイント１０１の状態が再現されたデータを確認し、状態変化の原因追究を行うことができる。
【００３８】
また、状態変化時点状況再現部１７は、関連情報蓄積装置１９に蓄積されている全ての状態変化情報、あるいは、一定期間だけ遡った範囲の状態変化情報の一覧を表示部２０に表示させ、図示しない入力部から、ユーザの所望の状態変化情報の選択を受け付け、受け付けた状態変化情報に関連付けられた関連情報から再現表示用データを作成し、表示部２０に表示させるようにしてもよい。
【００３９】
また、この実施の形態１では、状態変化時点状況再現部１７が、再現表示用データを作成し、表示部２０に表示させるようにしたが、これに限らず、状態変化時点状況再現部１７および表示部２０を備えないようにしてもよい。すなわち、ユーザは、状態変化時点の状態を再現表示して確認するのではなく、関連情報蓄積装置１９に蓄積された状態変化情報および関連情報を、状態変化の原因追究用のデータとして使用するようにしてもよい。
【００４０】
以上のように、実施の形態１によると、状態変化に応じた監視ポイント同士の対応関係を精査して設定する作業を要することなく、監視ポイントの状態変化が生じた際には、関連する監視ポイントのデータも含めた、状態変化の原因解析のためのデータを、より確実に、原因追究がしやすい形で抽出することができる。また、状態変化が発生時の状態をより簡単、かつ、より正確に再現でき、状態変化の原因追究をより効率よく行うことができる。
【００４１】
なお、この発明の実施の形態１において、施設管理装置１は、図１で示すような構成としたが、施設管理装置１は、監視ポイントデータ収集部１１と、関連監視ポイント特定部１５と、関連情報抽出部１６とを備えることにより、上述したような効果が得られるものである。
また、実施の形態１における施設管理装置１の制御に用いられる各部は、ソフトウェアに基づくＣＰＵを用いたプログラム処理によって実行される。
また、実施の形態１におけるグループ情報記憶装置１２、関連アプリケーション情報記憶装置１３、状態情報蓄積装置１８、関連情報蓄積装置１９は、ＨＤＤ、ＤＶＤ、メモリなどによって構成される。
【００４２】
また、本願発明はその発明の範囲内において、実施の形態の任意の構成要素の変形、もしくは実施の形態の任意の構成要素の省略が可能である。
【符号の説明】
【００４３】
１  施設管理装置
１１  監視ポイントデータ収集部
１２  グループ情報記憶装置
１３  関連アプリケーション情報記憶装置
１４  状態変化情報取得部
１５  関連監視ポイント特定部
１６  関連情報抽出部
１７  状態変化時点状況再現部
１８  状態情報蓄積装置
１９  関連情報蓄積装置
２０  表示部
１００  コントローラ
１０１  監視ポイント
【図１】
0006456180.tif 000002
【図２】
0006456180.tif 000003
【図３】
0006456180.tif 000004
【図４】
0006456180.tif 000005
【図５】
0006456180.tif 000006
【図６】
0006456180.tif 000007